(57)【要約】【課題】同一電話回線に接続されている複数の通信装置の通信履歴を纏めた通信管理情報を作成できると共に、既設の通信装置においてもハードウェアを改造することなく対応可能な通信システム、通信履歴管理方法、回線監視装置を提供する。【解決手段】回線監視装置２０は交換機２からの電話回線３を監視し、該電話回線を通じて行われたすべての通信の履歴を示す第１通信管理情報を生成して記憶する。ファクシミリ装置５０は自装置が行った通信の履歴を示す第２通信管理情報を生成して記憶する。回線監視装置２０は、電話回線３が使用されていないとき、第１通信管理情報をファクシミリ装置５０へ電話回線を通じて送信し、ファクシミリ装置５０は回線監視装置２０から受信した第１通信管理情報と自装置で記憶している第２通信管理情報とを比較し統合して第３通信管理情報を作成する。【選択図】図１
2015012525.tif 000002
【特許請求の範囲】
【請求項１】
交換機からの電話回線に接続された回線監視装置と、前記回線監視装置を経由して前記電話回線に接続された通信装置とを備え、
前記回線監視装置は、前記交換機からの電話回線を監視し、該電話回線を通じて行われた通信の履歴を示す第１通信管理情報を生成して記憶し、
前記通信装置は、自装置が行った通信の履歴を示す第２通信管理情報を生成して記憶し、
前記回線監視装置と前記通信装置の間で通信を行って、前記第１通信管理情報と前記第２通信管理情報を、前記回線監視装置と前記通信装置の一方の装置に集約し、
該一方の装置で前記第１通信管理情報と前記第２通信管理情報を比較して統合した第３通信管理情報を作成する
ことを特徴とする通信システム。
【請求項２】
前記一方の装置に、他方の装置から該他方の装置の時計が示す時刻情報を送信し、
前記一方の装置は、該一方の装置の時計が示す時刻と前記時刻情報が示す時刻との差を補正して、前記第１通信管理情報と前記第２通信管理情報との前記比較を行う
ことを特徴とする請求項１に記載の通信システム。
【請求項３】
前記回線監視装置は、前記電話回線を通じて行われた通信が当該回線監視装置を経由して行われた通信か否かを識別し、該識別の結果を示す情報を含む前記第１通信管理情報を生成し、
前記一方の装置は、前記第３通信管理情報の作成に際して、第１通信管理情報が示す通信のうちの前記回線監視装置を経由して行われた第１の通信と前記第２通信管理情報が示す第２の通信との前記補正後の時刻が同一のとき、前記第１の通信と前記第２の通信は同一の通信であると判断して、前記統合を行う
ことを特徴とする請求項２に記載の通信システム。
【請求項４】
前記一方の装置は、前記第３通信管理情報を不揮発性の記憶部に保存する
ことを特徴とする請求項１乃至３のいずれか１つに記載の通信システム。
【請求項５】
前記一方の装置は、印刷部を備え、前記印刷部で前記第３通信管理情報を印刷する
ことを特徴とする請求項１乃至４のいずれか１つに記載の通信システム。
【請求項６】
前記一方の装置は、可搬性記録媒体にデータを書き込む書き込み部を備え、前記書き込み部で前記第３通信管理情報を可搬性記録媒体に書き込む
ことを特徴とする請求項１乃至５のいずれか１つに記載の通信システム。
【請求項７】
前記通信装置は、ファクシミリ装置である
ことを特徴とする請求項１乃至６のいずれか１つに記載の通信システム。
【請求項８】
前記集約のために通信において、ＤＴＭＦ信号を使用して情報を伝送する
ことを特徴とする請求項１乃至７のいずれか１つに記載の通信システム。
【請求項９】
前記回線監視装置は、前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする請求項１乃至８のいずれか１つに記載の通信システム。
【請求項１０】
前記中断した後に、前記交換機側と前記電話回線を通じた通信が行われない状態になったら、前記集約を再開する
ことを特徴とする請求項９に記載の通信システム。
【請求項１１】
前記一方の装置は、前記回線監視装置である
ことを特徴とする請求項１乃至１０のいずれか１つに記載の通信システム。
【請求項１２】
前記回線監視装置は、
前記電話回線を接続する回線接続部と、
前記通信装置を接続する通信装置接続部と、
前記通信装置接続部を介して、前記通信装置に直流電源を供給する回線電源供給部と、
前記通信装置接続部を介して、前記通信装置に前記第１通信管理情報を送出する情報送出部と、
前記回線接続部と前記通信装置接続部とを接続したスルー接続状態と、前記通信装置接続部に前記回線電源供給部と前記情報送出部を接続したローカル接続状態とを切り替える切り替え部と、
を有し、
前記情報送出部は、前記交換機からの電話回線を通じて通信が行われていないときに、前記ローカル接続状態に切り替えて前記通信装置に対して前記第１通信管理情報を送出する
ことを特徴とする請求項１１に記載の通信システム。
【請求項１３】
前記情報送出部は、前記第１通信管理情報の送出開始に先だって前記通信装置へ送信開始要求を送信し、該送信開始要求に対して前記通信装置がオフフックしたら、前記通信装置へ前記第１通信管理情報を送出する
ことを特徴とする請求項１２に記載の通信システム。
【請求項１４】
前記情報送出部は、ＤＴＭＦ信号を使用して前記送信開始要求を送信する
ことを特徴とする請求項１３に記載の通信システム。
【請求項１５】
前記情報送出部は、前記通信装置への前記第１通信管理情報の送出を終了させるときに、該送出の終了を示す送信終了要求を前記通信装置へ送信する
ことを特徴とする請求項１２乃至１４のいずれか１つに記載の通信システム。
【請求項１６】
前記情報送出部は、ＤＴＭＦ信号を使用して前記送信終了要求を送信する
ことを特徴とする請求項１５に記載の通信システム。
【請求項１７】
前記送信終了要求に対して前記通信装置がオンフックしたら、前記通信端末が前記第１通信管理情報を正常に受信完了したと判断する
ことを特徴とする請求項１５または１６に記載の通信システム。
【請求項１８】
前記第１通信管理情報の送出中に、前記通信装置接続部の電圧が前記回線電源供給部の供給する電圧と同電圧になった場合は、前記第１通信管理情報の送出を中断して、前記切り替え部を前記スルー接続状態に切り替える
ことを特徴とする請求項１２乃至１７のいずれか１つに記載の通信システム。
【請求項１９】
前記通信装置は、
前記オンフックの状態で前記送信開始要求を受信したらオフフックして、前記回線監視装置から前記第１通信管理情報を受信し、
該受信状態において前記送信終了要求を受信したら、オンフックし、前記送信開始要求を受信してから前記送信終了要求を受信するまでの間に受信した前記第１通信管理情報と前記第２通信管理情報とに基づいて前記第３通信管理情報を生成する
ことを特徴とする請求項１５乃至１７のいずれか１つに記載の通信システム。
【請求項２０】
前記通信装置は、
前記回線監視装置を経由した電話回線が接続される回線接続部と、
外部電話機が接続される外部電話接続部と、
前記回線接続部に前記外部電話接続部を接続するか否かを切り替える外部電話接続切替部と
を有し、
前記送信開始要求を受信したら、前記外部電話接続部を前記回線接続部から切り離し、その後、前記送信終了要求を受信したら、前記外部電話接続部を前記回線接続部に接続する
ことを特徴とする請求項１９に記載の通信システム。
【請求項２１】
前記通信装置は、
前記回線監視装置からの前記第１通信管理情報の受信動作中に、前記回線接続部の電圧が所定の閾値より高い電圧に変化した場合は、オンフックすると共に、今回受信した前記第１通信管理情報を破棄し、前記外部電話接続部を前記回線接続部に接続する
ことを特徴とする請求項２０に記載の通信システム。
【請求項２２】
回線監視装置が、交換機からの電話回線を監視し、該電話回線を通じて行われた通信の履歴を示す第１通信管理情報を生成して記憶する工程と、
前記回線監視装置を経由して前記電話回線に接続された通信装置が自装置で行った通信の履歴を示す第２通信管理情報を生成して記憶する工程と、
前記回線監視装置と前記通信装置の間で通信を行って、前記第１通信管理情報と前記第２通信管理情報を、前記回線監視装置と前記通信装置の一方の装置に集約する工程と、
前記一方の装置が前記第１通信管理情報と前記第２通信管理情報を比較して統合した第３通信管理情報を作成する工程と
を有する
ことを特徴とする通信履歴管理方法。
【請求項２３】
前記一方の装置に、他方の装置から該他方の装置の時計が示す時刻情報を送信し、
前記一方の装置は、該一方の装置の時計が示す時刻と前記時刻情報が示す時刻との差を補正して、前記第１通信管理情報と前記第２通信管理情報との前記比較を行う
ことを特徴とする請求項２２に記載の通信履歴管理方法。
【請求項２４】
前記回線監視装置は、前記電話回線を通じて行われた通信が当該回線監視装置を経由して行われた通信か否かを識別し、該識別の結果を示す情報を含む前記第１通信管理情報を生成し、
前記一方の装置は、前記第３通信管理情報の作成に際して、第１通信管理情報が示す通信のうちの前記回線監視装置を経由して行われた第１の通信と前記第２通信管理情報が示す第２の通信との前記補正後の時刻が同一のとき、前記第１の通信と前記第２の通信は同一の通信であると判断して、前記統合を行う
ことを特徴とする請求項２３に記載の通信履歴管理方法。
【請求項２５】
前記集約のために通信において、ＤＴＭＦ信号を使用して情報を伝送する
ことを特徴とする請求項２２乃至２４のいずれか１つに記載の通信履歴管理方法。
【請求項２６】
前記回線監視装置は、前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする請求項２２乃至２５のいずれか１つに記載の通信履歴管理方法。
【請求項２７】
前記中断した後に、前記交換機側と前記電話回線を通じた通信が行われない状態になったら、前記集約を再開する
ことを特徴とする請求項２６に記載の通信履歴管理方法。
【請求項２８】
交換機からの電話回線に接続される回線監視装置であって、
当該回線監視装置を経由して前記交換機からの電話回線に通信装置を接続するための通信装置接続部と、
前記交換機からの電話回線を監視し、該電話回線を通じて行われた通信の履歴を示す第１通信管理情報を生成して記憶する第１通信管理情報生成部と、
前記第１通信管理情報と、前記通信端末で行われた通信の履歴を示しかつ該通信端末によって作成された第２通信管理情報を、前記回線監視装置と前記通信装置の一方の装置に集約し、該一方の装置で前記第１通信管理情報と前記第２通信管理情報を比較して統合した第３通信管理情報を作成するための通信を、前記通信装置との間で行うローカル通信部と、
を有する
ことを特徴とする回線監視装置。
【請求項２９】
前記ローカル通信部は、前記一方の装置の時計が示す時刻と他方の装置の時計が示す時刻情報が示す時刻との差を補正して前記第１通信管理情報と前記第２通信管理情報との前記比較を行うために、前記通信装置との間で前記時計情報を授受する
ことを特徴とする請求項２８に記載の回線監視装置。
【請求項３０】
前記ローカル通信部は、ＤＴＭＦ信号を使用して情報を伝送する
ことを特徴とする請求項２８または２９に記載の回線監視装置。
【請求項３１】
前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする請求項２８乃至３０のいずれか１つに記載の回線監視装置。
【発明の詳細な説明】
【技術分野】
【０００１】
本発明は、電話回線を通じて行われた通信の履歴を管理する通信システム、通信履歴管理方法、回線監視装置に関する。
【背景技術】
【０００２】
一般に、ファクシミリ装置は、自装置が行ったファクシミリ通信に要した時間や通信の開始時刻および終了時刻を通信管理情報として自装置で記憶して管理し、ユーザの操作に従って通信ジャーナルとして印字出力あるいはファイルとして出力する機能を備えている。
【０００３】
通信ジャーナルは、ファクシミリ通信に要した時間や相手先、通信結果などをユーザが管理するために使用されると共に、ファクシミリ装置のメーカや販売店などが、ユーザ先で生じた通信上の不具合に対応するための手掛かりとして利用される。
【０００４】
ところで、交換機からの電話回線にファクシミリ装置が単独で接続されるとは限らず、複数台のファクシミリ装置や電話機が同一の電話回線に共通に接続（所謂、ブランチ接続）されることがある。
【０００５】
また、ファクシミリ装置においては、一つの電話回線を他の電話機等と共有するために、外部電話接続端子が設けられる場合がある。この場合、外部電話接続端子に接続された外部電話機はファクシミリ装置を経由して電話回線に接続（所謂、カスケード接続）されている。ファクシミリ装置は、電話回線に自装置を接続するか外部電話機を接続するかを切り替える切り換え回路を備えており、待機時の状態や通信時の状態に応じて適宜に接続状態を切り換える。
【０００６】
たとえば、図１３では、交換機からの電話回線にファクシミリ装置と電話機とがブランチ接続され、さらにこのファクシミリ装置の外部電話接続部に外部電話機がカスケード接続されている。
【０００７】
このように、１つの電話回線をファクシミリ装置と、電話機などの他の通信装置とで共有する場合、ファクシミリ装置で生じた通信エラーの原因が、他の通信装置にある場合がある。
【０００８】
たとえば、ファクシミリ装置がファクシミリの送受信を行っている最中に、このファクシミリ装置と同じ電話回線にブランチ接続されている電話機がオフフックされると、インピーダンスの変動や電話機からの音声信号などの影響で、ファクシミリ装置で通信エラーが生じることがある。
【０００９】
このとき、ファクシミリ装置の通信ジャーナルを見ただけでは、ブランチ接続された電話機のオフフックが通信エラーに関係していることを確認できない。
【００１０】
そのため、同一の電話回線に共通接続されている複数の通信装置で行われた通信の履歴をまとめて管理することが望まれる。
【００１１】
たとえば、下記特許文献１には、自装置にカスケード接続された外部電話機の監視を行い、相手先の電話番号情報と共に外部電話機によるオフフックの開始、終了時刻を記録する機能を備えたファクシミリ装置が開示されている。
【００１２】
また、下記特許文献２には、電話回線の変化を監視することで、ブランチ接続された電話機等のオフフック状況を検出する通信端末装置が開示されている。
【先行技術文献】
【特許文献】
【００１３】
【特許文献１】特開平４−７４０５４号公報
【特許文献２】特開平８−２８９０３９号公報
【発明の概要】
【発明が解決しようとする課題】
【００１４】
特許文献１、２に開示された機能をファクシミリ装置に設ければ、同一の電話回線に接続されている他の通信装置でのオフフック状況の履歴と自装置による通信の履歴とをまとめた通信ジャーナルを作成することが可能になる。
【００１５】
しかし、同一の電話回線に共通接続されている他の通信装置のオフフック状況を認識する機能を持たないファクシミリ装置を既に設置している環境では、既設のファクシミリ装置を上記の機能を具備した新たなファクシミリ装置に交換したり、もしくは、既設のファクシミリ装置に対してハードウェアを含む大幅な改造を行ったりしなければ、対応できない。
【００１６】
本発明は、上記の問題を解決しようとするものであり、同一の電話回線に接続されている複数の通信装置の通信履歴を纏めた通信管理情報を作成できると共に、既設の通信装置においてもハードウェアを改造することなく対応可能な通信システム、通信履歴管理方法、回線監視装置を提供することを目的としている。
【課題を解決するための手段】
【００１７】
かかる目的を達成するための本発明の要旨とするところは、次の各項の発明に存する。
【００１８】
［１］交換機からの電話回線に接続された回線監視装置と、前記回線監視装置を経由して前記電話回線に接続された通信装置とを備え、
前記回線監視装置は、前記交換機からの電話回線を監視し、該電話回線を通じて行われた通信の履歴を示す第１通信管理情報を生成して記憶し、
前記通信装置は、自装置が行った通信の履歴を示す第２通信管理情報を生成して記憶し、
前記回線監視装置と前記通信装置の間で通信を行って、前記第１通信管理情報と前記第２通信管理情報を、前記回線監視装置と前記通信装置の一方の装置に集約し、
該一方の装置で前記第１通信管理情報と前記第２通信管理情報を比較して統合した第３通信管理情報を作成する
ことを特徴とする通信システム。
【００１９】
上記［１］、下記［２２］、［２８］に記載の発明では、回線監視装置は電話回線を通じて行われた通信の履歴を示す第１通信管理情報を生成して記憶し、通信装置は自装置が行った通信の履歴を示す第２通信管理情報を生成して記憶する。そして、所定のタイミングで、回線監視装置と通信装置の間で通信を行って、第１通信管理情報と第２通信管理情報を、回線監視装置と通信装置の一方の装置に集約し、その一方の装置において、第１通信管理情報と第２通信管理情報を比較して統合した第３通信管理情報を作成する。
【００２０】
［２］前記一方の装置に、他方の装置から該他方の装置の時計が示す時刻情報を送信し、
前記一方の装置は、該一方の装置の時計が示す時刻と前記時刻情報が示す時刻との差を補正して、前記第１通信管理情報と前記第２通信管理情報との前記比較を行う
ことを特徴とする［１］に記載の通信システム。
【００２１】
上記［２］、下記［２３］、［２９］に記載の発明では、回線監視装置の管理している時刻と、通信装置が管理している時刻の差を補正して、第１通信管理情報と第２通信管理情報との比較統合が行われる。
【００２２】
［３］前記回線監視装置は、前記電話回線を通じて行われた通信が当該回線監視装置を経由して行われた通信か否かを識別し、該識別の結果を示す情報を含む前記第１通信管理情報を生成し、
前記一方の装置は、前記第３通信管理情報の作成に際して、第１通信管理情報が示す通信のうちの前記回線監視装置を経由して行われた第１の通信と前記第２通信管理情報が示す第２の通信との前記補正後の時刻が同一のとき、前記第１の通信と前記第２の通信は同一の通信であると判断して、前記統合を行う
ことを特徴とする［２］に記載の通信システム。
【００２３】
上記［３］、下記［２４］に記載の発明では、第１通信管理情報が示す通信のうちの回線監視装置を経由して行われた第１の通信と第２通信管理情報が示す第２の通信との補正後の時刻が同一のとき、第１の通信と第２の通信は同一の通信であると判断して、第１通信管理情報と第２通信管理情報の統合を行う。
【００２４】
［４］前記一方の装置は、前記第３通信管理情報を不揮発性の記憶部に保存する
ことを特徴とする［１］乃至［３］のいずれか１つに記載の通信システム。
【００２５】
上記発明では、電源がオフになっても第３通信管理情報が保持される。
【００２６】
［５］前記一方の装置は、印刷部を備え、前記印刷部で前記第３通信管理情報を印刷する
ことを特徴とする［１］乃至［４］のいずれか１つに記載の通信システム。
【００２７】
［６］前記一方の装置は、可搬性記録媒体にデータを書き込む書き込み部を備え、前記書き込み部で前記第３通信管理情報を可搬性記録媒体に書き込む
ことを特徴とする［１］乃至［５］のいずれか１つに記載の通信システム。
【００２８】
［７］前記通信装置は、ファクシミリ装置である
ことを特徴とする［１］乃至［６］のいずれか１つに記載の通信システム。
【００２９】
［８］前記集約のために通信において、ＤＴＭＦ信号を使用して情報を伝送する
ことを特徴とする［１］乃至［７］のいずれか１つに記載の通信システム。
【００３０】
［９］前記回線監視装置は、前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする［１］乃至［８］のいずれか１つに記載の通信システム。
【００３１】
上記発明では、交換機側からの呼出信号が優先される。
【００３２】
［１０］前記中断した後に、前記交換機側と前記電話回線を通じた通信が行われない状態になったら、前記集約を再開する
ことを特徴とする［９］に記載の通信システム。
【００３３】
［１１］前記一方の装置は、前記回線監視装置である
ことを特徴とする［１］乃至［１０］のいずれか１つに記載の通信システム。
【００３４】
［１２］前記回線監視装置は、
前記電話回線を接続する回線接続部と、
前記通信装置を接続する通信装置接続部と、
前記通信装置接続部を介して、前記通信装置に直流電源を供給する回線電源供給部と、
前記通信装置接続部を介して、前記通信装置に前記第１通信管理情報を送出する情報送出部と、
前記回線接続部と前記通信装置接続部とを接続したスルー接続状態と、前記通信装置接続部に前記回線電源供給部と前記情報送出部を接続したローカル接続状態とを切り替える切り替え部と、
を有し、
前記情報送出部は、前記交換機からの電話回線を通じて通信が行われていないときに、前記ローカル接続状態に切り替えて前記通信装置に対して前記第１通信管理情報を送出する
ことを特徴とする［１１］に記載の通信システム。
【００３５】
［１３］前記情報送出部は、前記第１通信管理情報の送出開始に先だって前記通信装置へ送信開始要求を送信し、該送信開始要求に対して前記通信装置がオフフックしたら、前記通信装置へ前記第１通信管理情報を送出する
ことを特徴とする［１２］に記載の通信システム。
【００３６】
［１４］前記情報送出部は、ＤＴＭＦ信号を使用して前記送信開始要求を送信する
ことを特徴とする［１３］に記載の通信システム。
【００３７】
［１５］前記情報送出部は、前記通信装置への前記第１通信管理情報の送出を終了させるときに、該送出の終了を示す送信終了要求を前記通信装置へ送信する
ことを特徴とする［１２］乃至［１４］のいずれか１つに記載の通信システム。
【００３８】
［１６］前記情報送出部は、ＤＴＭＦ信号を使用して前記送信終了要求を送信する
ことを特徴とする［１５］に記載の通信システム。
【００３９】
［１７］前記送信終了要求に対して前記通信装置がオンフックしたら、前記通信端末が前記第１通信管理情報を正常に受信完了したと判断する
ことを特徴とする［１５］または［１６］に記載の通信システム。
【００４０】
［１８］前記第１通信管理情報の送出中に、前記通信装置接続部の電圧が前記回線電源供給部の供給する電圧と同電圧になった場合は、前記第１通信管理情報の送出を中断して、前記切り替え部を前記スルー接続状態に切り替える
ことを特徴とする［１２］乃至［１７］のいずれか１つに記載の通信システム。
【００４１】
［１９］前記通信装置は、
前記オンフックの状態で前記送信開始要求を受信したらオフフックして、前記回線監視装置から前記第１通信管理情報を受信し、
該受信状態において前記送信終了要求を受信したら、オンフックし、前記送信開始要求を受信してから前記送信終了要求を受信するまでの間に受信した前記第１通信管理情報と前記第２通信管理情報とに基づいて前記第３通信管理情報を生成する
ことを特徴とする［１５］乃至［１７］のいずれか１つに記載の通信システム。
【００４２】
［２０］前記通信装置は、
前記回線監視装置を経由した電話回線が接続される回線接続部と、
外部電話機が接続される外部電話接続部と、
前記回線接続部に前記外部電話接続部を接続するか否かを切り替える外部電話接続切替部と
を有し、
前記送信開始要求を受信したら、前記外部電話接続部を前記回線接続部から切り離し、その後、前記送信終了要求を受信したら、前記外部電話接続部を前記回線接続部に接続する
ことを特徴とする［１９］に記載の通信システム。
【００４３】
［２１］前記通信装置は、
前記回線監視装置からの前記第１通信管理情報の受信動作中に、前記回線接続部の電圧が所定の閾値より高い電圧に変化した場合は、オンフックすると共に、今回受信した前記第１通信管理情報を破棄し、前記外部電話接続部を前記回線接続部に接続する
ことを特徴とする［２０］に記載の通信システム。
【００４４】
［２２］回線監視装置が、交換機からの電話回線を監視し、該電話回線を通じて行われた通信の履歴を示す第１通信管理情報を生成して記憶する工程と、
前記回線監視装置を経由して前記電話回線に接続された通信装置が自装置で行った通信の履歴を示す第２通信管理情報を生成して記憶する工程と、
前記回線監視装置と前記通信装置の間で通信を行って、前記第１通信管理情報と前記第２通信管理情報を、前記回線監視装置と前記通信装置の一方の装置に集約する工程と、
前記一方の装置が前記第１通信管理情報と前記第２通信管理情報を比較して統合した第３通信管理情報を作成する工程と
を有する
ことを特徴とする通信履歴管理方法。
【００４５】
［２３］前記一方の装置に、他方の装置から該他方の装置の時計が示す時刻情報を送信し、
前記一方の装置は、該一方の装置の時計が示す時刻と前記時刻情報が示す時刻との差を補正して、前記第１通信管理情報と前記第２通信管理情報との前記比較を行う
ことを特徴とする［２２］に記載の通信履歴管理方法。
【００４６】
［２４］前記回線監視装置は、前記電話回線を通じて行われた通信が当該回線監視装置を経由して行われた通信か否かを識別し、該識別の結果を示す情報を含む前記第１通信管理情報を生成し、
前記一方の装置は、前記第３通信管理情報の作成に際して、第１通信管理情報が示す通信のうちの前記回線監視装置を経由して行われた第１の通信と前記第２通信管理情報が示す第２の通信との前記補正後の時刻が同一のとき、前記第１の通信と前記第２の通信は同一の通信であると判断して、前記統合を行う
ことを特徴とする［２３］に記載の通信履歴管理方法。
【００４７】
［２５］前記集約のために通信において、ＤＴＭＦ信号を使用して情報を伝送する
ことを特徴とする［２２］乃至［２４］のいずれか１つに記載の通信履歴管理方法。
【００４８】
［２６］前記回線監視装置は、前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする［２２］乃至［２５］のいずれか１つに記載の通信履歴管理方法。
【００４９】
［２７］前記中断した後に、前記交換機側と前記電話回線を通じた通信が行われない状態になったら、前記集約を再開する
ことを特徴とする［２６］に記載の通信履歴管理方法。
【００５０】
［２８］交換機からの電話回線に接続される回線監視装置であって、
当該回線監視装置を経由して前記交換機からの電話回線に通信装置を接続するための通信装置接続部と、
前記交換機からの電話回線を監視し、該電話回線を通じて行われた通信の履歴を示す第１通信管理情報を生成して記憶する第１通信管理情報生成部と、
前記第１通信管理情報と、前記通信端末で行われた通信の履歴を示しかつ該通信端末によって作成された第２通信管理情報を、前記回線監視装置と前記通信装置の一方の装置に集約し、該一方の装置で前記第１通信管理情報と前記第２通信管理情報を比較して統合した第３通信管理情報を作成するための通信を、前記通信装置との間で行うローカル通信部と、
を有する
ことを特徴とする回線監視装置。
【００５１】
［２９］前記ローカル通信部は、前記一方の装置の時計が示す時刻と他方の装置の時計が示す時刻情報が示す時刻との差を補正して前記第１通信管理情報と前記第２通信管理情報との前記比較を行うために、前記通信装置との間で前記時計情報を授受する
ことを特徴とする［２８］に記載の回線監視装置。
【００５２】
［３０］前記ローカル通信部は、ＤＴＭＦ信号を使用して情報を伝送する
ことを特徴とする［２８］または［２９］に記載の回線監視装置。
【００５３】
［３１］前記交換機側と前記電話回線を通じて通信が行われていないときに前記通信装置との間で通信を行って前記集約を開始し、該集約のための通信中に前記交換機からの呼出信号を検知した場合は、前記集約のための通信を中断して、前記交換機からの電話回線に前記通信装置を接続する
ことを特徴とする［２８］乃至［３０］のいずれか１つに記載の回線監視装置。
【発明の効果】
【００５４】
本発明に係る通信システム、通信履歴管理方法、回線監視装置によれば、同一電話回線に接続されている複数の通信装置の通信履歴を纏めた通信管理情報を作成できる。また、既設の通信装置においてもハードウェアを改造することなく対応することができる。
【図面の簡単な説明】
【００５５】
【図１】本発明の実施の形態に係る通信システムの概略を示す図である。
【図２】回線監視装置が作成して記憶する第１通信管理情報の一例を示す図である。
【図３】ファクシミリ装置が作成して記憶する第２通信管理情報の一例を示す図である。
【図４】回線監視装置が第２通信管理情報を送出する際のデータ例を示す図である。
【図５】第３通信管理情報の一例を示す図である。
【図６】回線監視装置の内部構成を示すブロック図である。
【図７】ファクシミリ装置の概略構成を示すブロック図である。
【図８】通信システムを、通信管理情報の統合に関連する部分の主要部のみを抽出して示す図である。
【図９】第１通信管理情報を送信する際の回線電圧の変化等を示す図である。
【図１０】第１通信管理情報を送出する際に回線監視装置が行う処理を示す流れ図である。
【図１１】第１通信管理情報を受信する際にファクシミリ装置が行う処理を示す流れ図である。
【図１２】通信管理情報の受信処理（図１１のステップＳ２０６の詳細）を示す流れ図である。
【図１３】同一の電話回線に複数の通信装置が接続されたシステム構成例を示す図である。
【発明を実施するための形態】
【００５６】
以下、図面に基づき本発明の実施の形態を説明する。
【００５７】
図１は、本発明の実施の形態に係る通信システム１０の概略を示している。通信システム１０は、交換機２からの電話回線３に接続された回線監視装置２０と、回線監視装置２０を経由して電話回線３に接続された通信装置としてのファクシミリ装置５０とを備えている。
【００５８】
交換機２からの電話回線３は、回線監視装置２０の回線接続部２１に接続され、後段のファクシミリ装置５０は回線監視装置２０の通信装置接続部２２に接続されている。回線接続部２１側の電話回線３に接続された通信装置はブランチ接続（回線監視装置２０と並列接続）された通信装置であり、通信装置接続部２２に接続された通信装置はカスケード接続（回線監視装置２０を経由して電話回線３に接続）された通信装置である。ここでは、回線監視装置２０にファクシミリ装置５０がカスケード接続されている。
【００５９】
ファクシミリ装置５０は、電話回線を接続するための回線接続部５１と、外付けの電話機等をカスケード接続するための外部電話接続部５２を備えている。ファクシミリ装置５０の回線接続部５１は電話回線用の通信ケーブルで回線監視装置２０の通信装置接続部２２に接続されている。
【００６０】
ファクシミリ装置５０の外部電話接続部５２には外部電話機５が接続されている。また、交換機２と回線監視装置２０との間の電話回線３には、第２の通信装置６がブランチ接続されている。
【００６１】
図１の例では、回線監視装置２０にカスケード接続された通信装置をファクシミリ装置５０としたが、電話回線を通じて通信を行う通信装置であれば、任意の通信装置でかまわない。また、ブランチ接続された第２の通信装置６は電話機やファクシミリ装置のほか、電話回線を通じて通信を行う通信装置であれば、任意の通信装置でかまわない。
【００６２】
回線監視装置２０は、電話回線３を通じて交換機２との間で行われるすべての通信を監視し、それらの通信履歴を示す第１通信管理情報を生成して記憶する。詳細には、回線監視装置２０は、カスケード接続あるいは、ブランチ接続されている通信装置のオフフック状態、通信時刻、交換機２からのダイアルトーンや呼出信号、通信装置から送出された電話番号等を監視し、それらの情報から作成した第１通信管理情報を回線監視装置２０内の不揮発メモリ（図６の不揮発記憶部３７）に保存する。
【００６３】
図１の例では、回線監視装置２０は、第２の通信装置６、ファクシミリ装置５０、外部電話機５によるすべての通信の履歴を第１通信管理情報として記憶する。
【００６４】
図２は、回線監視装置２０が作成して記憶する第１通信管理情報の一例を示している。第１通信管理情報として記憶される項目は、通信毎に個別に割り当てた通信管理用の番号、発信／受信、通信の開始時刻、通信の終了時刻、電話番号情報等である。
【００６５】
発信/受信の項目の登録内容は、カスケード送信、カスケード受信、ブランチ送信、ブランチ受信の４つのいずれかであり、発信／受信に加えてその通信を行った通信端末がブランチ接続された通信装置であるかカスケード接続された通信装置であるかの識別情報を含んでいる。電話番号情報は、交換機２に対して送出された発呼時の電話番号を示している。
【００６６】
ファクシミリ装置５０は、自装置が行ったファクシミリ通信の履歴を示す第２通信管理情報を生成して記憶する。第２通信管理情報として記憶される通信の履歴には、通信の開始時刻、終了時刻、通信結果、送信・受信の区別、相手方の電話番号などが含まれる。通信結果は、通信が正常終了したか通信エラーとなったかを示す情報や通信エラーの種別を示す。
【００６７】
図３は、ファクシミリ装置５０が作成して記憶する第２通信管理情報の一例を示している。第２通信管理情報は、送信に関する通信履歴のリストである第２送信管理情報と、受信に関する通信履歴のリストである第２受信管理情報とから構成される。第２送信管理情報として記憶される項目は、各通信（送信）に割り当てた通信管理用の番号、相手先の電話番号、通信の開始時刻、通信の終了時刻、通信開始から通信終了までの時間、送信枚数、通信結果等である。
【００６８】
第２受信管理情報として記憶される項目は、各通信（受信）に割り当てた通信管理用の番号、相手先の電話番号、通信の開始時刻、通信の終了時刻、通信開始から通信終了までの時間、受信枚数、通信結果等である。なお、受信管理情報においては、通信相手の電話番号は判明した場合のみ、その電話番号が相手先の項目に登録される。
【００６９】
なお、ファクシミリ装置５０は、ファクシミリ装置５０本体が行った通信についてのみ第２通信管理情報に通信履歴を記憶する。ファクシミリ装置５０は、外部電話接続部５２に接続されている外部電話機５による通信については第２通信管理情報に通信履歴を記憶しない。
【００７０】
回線監視装置２０は、交換機２からの電話回線３が通信に使用されていないタイミングで、第１通信管理情報を通信装置接続部２２からファクシミリ装置５０へ送出する。これにより、第１通信管理情報と第２通信管理情報がファクシミリ装置５０に集約される。
【００７１】
図４は、回線監視装置２０が第２通信管理情報を送出する際のデータ例を示している。回線監視装置２０は、ＤＴＭＦ（Dual-Tone Multi-Frequency）信号を使用し、キャラクタデータとして第２通信管理情報を送信する。ＤＴＭＦ信号では、０から９までの数字と、＊、＃、Ａ、Ｂ、Ｃ、Ｄの記号を、１６種類の符号で送信することができる。
【００７２】
図４では、１通信分の第２通信管理情報を横一列で示してある。１通信分のデータのうちの最初のアルファベットの１文字は、送信／受信等の区別を示す。詳細には、「Ａ」はカスケード送信を、「Ｂ」はカスケード受信を、「Ｃ」はブランチ送信を、「Ｄ」はブランチ受信を示す。これに続けて、通信の開始時刻、通信の終了時刻、電話番号を示すキャラクタデータが配列されている。
【００７３】
ファクシミリ装置５０は、回線監視装置２０から送られてきた第１通信管理情報を受信し、該第１通信管理情報と自装置が記憶している第２通信管理情報を比較して、これら統合した第３通信管理情報を作成し不揮発メモリに記憶する。
【００７４】
なお、回線監視装置２０とファクシミリ装置５０は個別に現在時刻を管理しているため、回線監視装置２０側の現在時刻と、ファクシミリ装置５０側の現在時刻に差異が生じ得る。
【００７５】
そこで、回線監視装置２０は第１通信管理情報をファクシミリ装置５０へ送信するのに先立って、回線監視装置２０側の現在時刻を示す時刻情報を、ファクシミリ装置５０に送信する。
【００７６】
ファクシミリ装置５０は、回線監視装置２０から受信した時刻情報が示す時刻と自装置の現在時刻とを比較し、回線監視装置２０側の現在時刻とファクシミリ装置５０側の現在時刻との差を補正した上で第１通信管理情報と第２通信管理情報の比較を行って、第３通信管理情報を作成する。
【００７７】
ここでは、回線監視装置２０から受信した第１通信管理情報に含まれる各通信の開始時刻や終了時刻を、回線監視装置２０側の現在時刻とファクシミリ装置５０側の現在時刻との差を是正するように修正し、該修正後の第１通信管理情報と自装置側の第２通信管理情報とを比較して第３通信管理情報を作成する。
【００７８】
図５は、第３通信管理情報の一例を示している。第３通信管理情報は、送信に関する通信履歴のリストである第３送信管理情報と、受信に関する通信履歴のリストである第３受信管理情報とから構成される。第３送信管理情報として記憶される項目は、各通信（送信）に割り当てた通信管理用の番号、相手先の電話番号、通信の開始時刻、通信の終了時刻、通信開始から通信終了までの時間、送信枚数、通信結果、通信装置の区別等である。第３受信管理情報として記憶される項目は、各通信（受信）に割り当てた通信管理用の番号、相手先の電話番号、通信の開始時刻、通信の終了時刻、通信開始から通信終了までの時間、受信枚数、通信結果、通信装置の区別等である。
【００７９】
第１通信管理情報と第２通信管理情報との統合は、送信と受信を個別に行う。第３送信管理情報の作成では、第１通信管理情報の中の送信に関する通信履歴を抽出し、これら抽出した送信に関する通信履歴と、第２通信管理情報の第２送信管理情報に登録されている通信履歴とを、通信の開始時刻順に並べて統合する。この際、第１通信管理情報から抽出した送信に関する通信履歴のうち、カスケード接続の通信（カスケード送信）であって、第２送信管理情報に登録されているいずれかの通信履歴と通信の開始時刻（前述した補正後の時刻）が同一の通信については、同じ通信に関する通信履歴が第２送信管理情報に存在すると判断し、第３送信管理情報に含めない。なお、時刻が一致するか否かは、たとえば、分単位の精度で比較する。この精度は適宜に変更してもよい。
【００８０】
具体的には、第１通信管理情報と第２送信管理情報とに重複して登録されている通信履歴については、第１通信管理情報側の通信履歴は第３送信管理情報に登録せず、第２送信管理情報側の通信履歴のみを第３送信管理情報に登録する。なお、どの通信履歴とどの通信履歴が同一の通信に関するものであるかを識別可能に表記して、第１通信管理情報に含まれる送信に関するすべての通信履歴と第２送信管理情報に含まれるすべての通信履歴を時刻順等に配列した第３送信管理情報を作成してもよい。
【００８１】
第３受信管理情報の作成では、第１通信管理情報の中の受信に関する通信履歴を抽出し、これら抽出した受信に関する通信履歴と、第２通信管理情報の第２受信管理情報に登録されている通信履歴とを、通信の開始時刻順に並べて統合する。この際、第１通信管理情報から抽出した受信に関する通信履歴のうち、カスケード接続の通信であって、第２受信管理情報に登録されているいずれかの通信履歴と通信の開始時刻（前述した補正後の時刻）が同一の通信については、同じ通信に関する通信履歴が第２送信管理情報に存在すると判断し、第３送信管理情報に含めない。
【００８２】
すなわち、第１通信管理情報と第２受信管理情報とに重複して登録されている通信履歴については、第１通信管理情報側の通信履歴は第３送信管理情報に登録せず、第２受信管理情報側の通信履歴のみを第３送信管理情報に登録する。なお、どの通信履歴とどの通信履歴が同一の通信に関するものであるかを識別可能に表記して、第１通信管理情報に含まれる受信に関するすべての通信履歴と第２受信管理情報に含まれるすべての通信履歴を時刻順等に配列した第３受信管理情報を作成してもよい。
【００８３】
なお、同一の通信履歴か否かを判断する条件に、相手先の電話番号が判明しているならば、相手先の電話番号が同一であることを含めるようにしてもよい。たとえば、送信に関する通信履歴を統合する場合は、相手先の電話番号が通信履歴に登録されているので、同一の通信履歴か否かを判断する条件に相手先の電話番号を含めるようにしてもよい。
【００８４】
ファクシミリ装置５０は、このようにして作成した第３通信管理情報を不揮発性のメモリに記憶する。そして、記憶されている第３通信管理情報を、ユーザからの指示に応じて読み出して各種の形態で出力する。たとえば、ファクシミリ装置５０は、ユーザからの指示に応じて、第３通信管理情報を、記録紙に印刷出力する、ディスプレイに表示する、ＵＳＢメモリなどの可搬性記憶媒体にファイルとして書き出す、といった出力処理を行う。
【００８５】
図６は、回線監視装置２０の内部構成を示すブロック図である。回線監視装置２０の回線接続部２１は、装置の内部で、回線切替部２３を介して通信装置接続部２２に接続される。回線切替部２３は、回線接続部２１と通信装置接続部２２とを電話回線用の信号線で接続したスルー接続の状態と、回線接続部２１と通信装置接続部２２とを切り離して通信装置接続部２２を後述する情報送出部３３と第２の回線電圧検知部３４に接続したローカル接続の状態に切り替える。
【００８６】
回線接続部２１と回線切替部２３との間を結ぶ電話回線用の信号線の途中に回線電流検知部２４が介挿されている。回線電流検知部２４は回線接続部２１と回線切替部２３とを結ぶ信号線に流れる電流を検出する。
【００８７】
また、回線監視装置２０は、回線接続部２１と回線切替部２３との間を結ぶ電話回線用の信号線に対して並列に接続された、第１の回線電圧検知部２５、電話番号検知部２６、トーン検知部２７、呼出信号検知部２８、直流ループ形成部２９を備えている。
【００８８】
第１の回線電圧検知部２５は、回線接続部２１に加わる電圧（回線電圧）を検出する。電話番号検知部２６は、回線接続部２１に接続された電話回線３を通じて伝送される電話番号を検出する。トーン検知部２７は、回線接続部２１に接続された電話回線３に流れるＤＴＭＦ信号（トーン信号）を検出する。呼出信号検知部２８は、交換機２から送られてくる呼出信号を検出する。直流ループ形成部２９は、回線接続部２１に接続された電話回線３を閉じて直流ループを形成する。
【００８９】
さらに回線監視装置２０は、通信装置接続部２２に接続された通信装置に対して、ローカル接続に切り替えられた回線切替部２３を介して、所定の直流電源を供給する回線電源供給部３２を備えている。
【００９０】
さらに回線監視装置２０は、情報送出部３３、第２の回線電圧検知部３４、回線切替制御部３５、時計部３６、不揮発記憶部３７、回線監視制御部３１、電源部３８などを備えている。
【００９１】
情報送出部３３は第１通信管理情報や時刻情報を表したＤＴＭＦ信号を出力する。第２の回線電圧検知部３４は回線切替部２３がローカル接続に切り替えられた状態において通信装置接続部２２に加わる電圧（回線電圧）を検出する。
【００９２】
回線切替制御部３５は、回線切替部２３に対して切替信号を送出して回線切替部２３を制御する。時計部３６は現在時刻を管理する。時計部３６は現在時刻を年月日時分秒で表した時刻情報を出力する。不揮発記憶部３７は電源がオフしても記憶内容を保持する不揮発メモリである。不揮発記憶部３７に第１通信管理情報が記憶される。
【００９３】
回線監視制御部３１はＣＰＵ（Central Processing Unit）、ＲＯＭ（Read Only Memory）、ＲＡＭ（Random Access Memory）などを主要部として構成され、回線監視装置２０の動作を統括制御する。電源部３８は回線監視装置２０の各部で電源を供給する。
【００９４】
回線監視装置２０は、回線切替部２３をスルー接続に切り替えている状態で、第１の回線電圧検知部２５の検出する回線電圧が閾値より低下し、かつ回線電流検知部２４が電流を検出している場合は、通信装置接続部２２に接続された（カスケード接続された）通信装置が通信していると判断する。一方、回線切替部２３をスルー接続に切り替えている状態で、第１の回線電圧検知部２５の検出する回線電圧が閾値より低下し、かつ回線電流検知部２４が電流を検出していない場合は、回線接続部２１にブランチ接続された通信装置が通信していると判断する。回線切替部２３をスルー接続に切り替えている状態で、第１の回線電圧検知部２５の検出する回線電圧が閾値より高い場合（交換機２からの回線電圧（たとえば４８Ｖ）に近い電圧の場合）は、電話回線３が通信装置によって使用されていないと判断する。
【００９５】
また、回線監視装置２０は、呼出信号検知部２８が呼出信号を検出して通信が開始されたか否かにより、送信と受信を区別する。
【００９６】
通信の開始時刻、終了時刻は、通信の開始時、終了時における時計部３６を参照して認識する。
【００９７】
図７は、ファクシミリ装置５０の概略構成を示している。ファクシミリ装置５０は、当該ファクシミリ装置５０の動作を統括的に制御するＣＰＵ５３を有している。ＣＰＵ５３にはバスを通じてＲＯＭ５４と、ＲＡＭ５５と、画像読取部５６と、プリンタ部５７と、操作パネル５８と、不揮発メモリ５９と、ネットワーク通信部６０と、可搬性記憶媒体接続部６１と、ファクシミリ通信部６２が接続されている。ファクシミリ通信部６２にはＮＣＵ（Network Control Unit）６３が接続されている。
【００９８】
ＣＰＵ５３は、ＯＳ（Operating System）プログラムをベースとし、その上で、ミドルウェアやアプリケーションプログラムなどを実行する。ＲＯＭ５４には、各種のプログラムが格納されており、これらのプログラムに従ってＣＰＵ５３が各種処理を実行することでファクシミリ装置５０の各機能が実現される。
【００９９】
ＲＡＭ５５は、ＣＰＵ５３がプログラムに基づいて処理を実行する際に各種のデータを一時的に格納するワークメモリや送受信バッファ、画像メモリなどとして使用される。
【０１００】
画像読取部５６は、原稿を光学的に読み取って画像データを取得する機能を果たす。画像読取部５６は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【０１０１】
プリンタ部５７は、画像データに応じた画像を記録紙上に画像形成して印刷出力する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【０１０２】
操作パネル５８は、ユーザから各種の操作を受け付ける機能、および、操作画面や設定画面など各種の情報を表示する機能を果たす。操作パネル５８は表示部５８ａと操作部５８ｂを備える。表示部５８ａは、液晶ディスプレイ（ＬＣＤ…Liquid Crystal Display）などで構成され、各種の操作画面、設定画面などを表示する機能を果たす。操作部５８ｂは、スタートボタンなどの各種操作スイッチと、表示部５８ａの表示面上に設けられたスクリーン状のタッチパネルなどを備えている。タッチパネルは、タッチペンや指などで押下された座標位置や、フリック操作やドラッグ操作、スクロールバーに対する操作を検出する。
【０１０３】
不揮発メモリ５９は、電源をオフにしても記憶内容が破壊されないメモリ（フラッシュメモリ）であり、各種設定情報や第２通信管理情報、第３通信管理情報の保存などに使用される。
【０１０４】
ネットワーク通信部６０は、ＬＡＮ(Local Area Network)などのネットワークを通じて外部装置との間でデータを送受信する機能を果たす。
【０１０５】
可搬性記憶媒体接続部６１は、ＵＳＢ（Universal Serial Bus）メモリなどの可搬性記憶媒体８を着脱可能に接続する機能を果たす。可搬性記憶媒体接続部６１は、挿着された可搬性記憶媒体８に対してデータを書き込む書き込み部として機能する。
【０１０６】
ファクシミリ通信部６２は、ファクシミリ機能を備えた外部装置と電話回線を通じて画像データを送受信するために所定のプロトコルに従った制御を行う。ＮＣＵ６３は回線接続部５１、外部電話接続部５２を備えた電話回線用のＩ／Ｆ（Interface）回路であり、電話回線や外部電話機５が接続される。ＮＣＵ６３は、回線接続部５１を外部電話接続部５２に接続するか、ファクシミリ通信部６２側に接続するかを切り替える外部電話切替部６４を備えている。外部電話切替部６４はＣＭＬ（Connect MODEM to Line）リレー等で構成される。
【０１０７】
またＮＣＵ６３は呼出信号を検出する着信検出部、ダイアル信号を送出する発呼部、外部電話機５のオフフックによる回線電流を検出する回線電流検知部６６、モデムなどを備える。さらにＮＣＵ６３は、ＤＴＭＦ信号を検出するトーン検知部６５を備えている。トーン検知部６５は、外部電話切替部６４を外部電話接続部５２側に切り替えた状態でも、ファクシミリ通信部６２側に切り替えた状態でも、回線接続部５１側からのＤＴＭＦ信号を検出することができる。
【０１０８】
図８は、通信システム１０の概略構成であって、通信管理情報の統合に関連する部分の主要部のみを抽出して示す図である。回線監視装置２０は第１通信管理情報をファクシミリ装置５０に対して送信するとき、回線切替部２３をローカル接続に切り替える。そして、通信装置接続部２２に接続されたファクシミリ装置５０に対して、交換機２に代わって回線電源供給部３２から回線電圧Ｖｔ２を供給する。Ｖｔ２は、たとえば、１０Ｖにされる。情報送出部３３は、回線電源供給部３２が供給する直流電圧にＤＴＭＦ信号を重畳する。情報送出部３３は、図４に示したように、ＤＴＭＦ信号により、第１通信管理情報をファクシミリ装置５０へ送出する。
【０１０９】
ファクシミリ装置５０は、回線監視装置２０から第１通信管理情報を受信する際には、外部電話切替部６４をファクシミリ通信部６２側に切り替えて外部電話機５を切り離す。そして、回線監視装置２０から送られてくるＤＴＭＦ信号をトーン検知部６５で検出することで第１通信管理情報を受信する。
【０１１０】
次に、回線監視装置２０がファクシミリ装置５０に対して第１通信管理情報を送信する際の回線監視装置２０およびファクシミリ装置５０の詳細な動作について説明する。
【０１１１】
図９は、第１通信管理情報を送信する際の回線電圧の変化等を示している。図１０は、第１通信管理情報を送出する際の回線監視装置２０が行う処理の流れを、図１１は、第１通信管理情報を受信する際のファクシミリ装置５０が行う処理の流れを示している。
【０１１２】
回線監視装置２０は、ファクシミリ装置５０に対して送出すべき第１通信管理情報があるか否かを判断し（図１０；ステップＳ１０１）、未送信の第１通信管理情報が無ければ（ステップＳ１０１；Ｎｏ）、ステップＳ１０１に戻って、該判断を繰り返し行う。
【０１１３】
ファクシミリ装置５０へ送信すべき第１通信管理情報がある場合は（ステップＳ１０１；Ｙｅｓ）、交換機２との間の電話回線３が使用中か否かを判断する（ステップＳ１０２）。具体的には、回線監視装置２０は、第１の回線電圧検知部２５によって検出される回線接続部２１の両端電圧（回線電圧）が、所定の閾値電圧Ｖｔ１以上か否かを判断する。
【０１１４】
Ｖｔ１は、たとえば、１５Ｖ〜１６Ｖに設定される。交換機２との間の電話回線３が使用中でなければ、回線電圧は交換機２が回線に供給している電圧になる。交換機２が電話局の交換機であれば４８Ｖが、構内交換機であれば、たとえば２４Ｖの回線電圧が供給される。Ｖｔ１は、直流ループを形成しない状態で交換機２から供給される最小回線電圧より、マージンを見て、低い電圧に設定してある。
【０１１５】
回線電圧がＶｔ１未満ならば（ステップＳ１０２；Ｎｏ）、電話回線３は使用中であると判断し、ステップＳ１０２に戻って、電話回線が使用中でなくなるのを待つ。
【０１１６】
回線電圧がＶｔ１以上ならば（ステップＳ１０２；Ｙｅｓ、図９；Ｔ１）、電話回線３は使用中でないと判断し、第１通信管理情報の送出処理を開始する。詳細には、回線監視装置２０は、回線切替部２３をローカル接続に切り替える（ステップＳ１０３）。回線切替部２３をローカル接続に切り替えると、通信装置接続部２２は回線接続部２１から切り離され、回線電源供給部３２の供給する回線電圧Ｖｔ２が通信装置接続部２２に供給される（図９；Ｔ２）。
【０１１７】
次に、回線監視装置２０は、ファクシミリ装置５０に対して特定のＤＴＭＦ信号からなる送信開始要求を送信する（ステップＳ１０４）。ここでは「＃８６Ａ」の文字列に相当するＤＴＭＦ信号を送信開始要求として送信する（図９；Ｔ３）。
【０１１８】
ファクシミリ装置５０は、受信待機時であるオンフック時に（図１１；ステップＳ２０１；Ｎｏ、Ｓ２０２；Ｎｏ）、自装置の回線接続部５１に特定のＤＴＭＦ信号の組み合わせ（＃８６Ａ）が受信されるのを待つ（ステップＳ２０３）。詳細には、ファクシミリ装置５０の回線接続部５１に加わる回線電圧がＶｔ１未満で（ステップＳ２０１；Ｎｏ）、回線電流が検知されない状態（ステップＳ２０２；Ｎｏ）のとき、すなわち、回線監視装置２０がローカル接続の状態でかつ外部電話機５がオンフックの状態のときに、回線監視装置２０から送信開始要求が受信されるか否かを判断する（ステップＳ２０３）。
【０１１９】
ファクシミリ装置５０は、送信開始要求を受信したら（ステップＳ２０３；Ｙｅｓ）、外部電話切替部６４をファクシミリ通信部６２側に切り替えて、外部電話機５を切り離す（ステップＳ２０４）。その後、オフフック動作を行い（ステップＳ２０５）、送信開始要求信号への応答を行う。そして、第１通信管理情報の受信処理を行う（ステップＳ２０６）。
【０１２０】
図９に示すように、ファクシミリ装置５０がオフフックすると、回線監視装置２０の通信装置接続部２２の両端電圧はＶｔ２から僅かに低下する。回線監視装置２０はこの電圧低下を検出することで、ファクシミリ装置５０が送信開始要求を認識して第１通信管理情報の受信体制に入ったと判断する。そして、回線監視装置２０は、まず、自装置の現在時刻を示す時刻情報をファクシミリ装置５０に対して送信し（図９：Ｔ４）、その後、第１通信管理情報をファクシミリ装置５０に対して送信する（図９；Ｔ５）。これらは前述したようにＤＴＭＦ信号を使用したキャラクタデータとして送信される。
【０１２１】
回線監視装置２０は、時刻情報や第１通信管理情報を送信するときに、交換機２側から呼出信号が到来しているか否かを確認する（図１０；ステップＳ１０５）。呼出信号が到来していなければ（ステップＳ１０５；Ｎｏ）、ファクシミリ装置５０に対して時刻情報あるいは１通信分の第１通信管理情報を送信する（ステップＳ１０６）。すべての第１通信管理情報の送信が終了していなければ（ステップＳ１０８；Ｎｏ）、ステップＳ１０６に戻って処理を継続する。
【０１２２】
回線監視装置２０は、第１通信管理情報をすべて送信し終えたら（ステップＳ１０８；Ｙｅｓ）、送信終了要求をファクシミリ装置５０に送信する（ステップＳ１０９）。ここでは「Ａ６８＃」の文字列に相当するＤＴＭＦ信号を送信終了要求として送信する（図９；Ｔ６）。そして、回線切替部２３をスルー接続に切り替えて（ステップＳ１１０）、処理を終了する。回線切替部２３をスルー接続に切り替えると、回線監視装置２０の通信装置接続部２２には交換機２側の回線電圧が加わるため、通信装置接続部２２の電圧はＶｔ１より高い電圧に戻る（図９；Ｔ７）。
【０１２３】
第１通信管理情報の送信中に呼出信号が到来した場合は（ステップＳ１０５；Ｙｅｓ）、交換機２側からの通信を優先するために、第１通信管理情報の送信処理を中断させる。具体的には、送信終了要求をファクシミリ装置５０に対して送信し（ステップＳ１０７）、回線切替部２３をスルー接続に切り替えて（ステップＳ１１０）、処理を終了する。なお、中断（後述する中断を含む）の後に、交換機２側と電話回線３を通じた通信が行われない状態になったら、ステップＳ１０１から処理を再度実行して、通信管理情報をファクシミリ装置５０に集約する処理を再開する。
【０１２４】
ファクシミリ装置５０では、回線監視装置２０から送られてくる時刻情報や第１通信管理情報を順次受信する（図１１；ステップＳ２０６、ステップＳ２０７；Ｎｏ））。そして、回線監視装置２０から送信終了要求を受信したら（ステップＳ２０７；Ｙｅｓ）、オンフック動作を行う（ステップＳ２０８）。ファクシミリ装置５０がオンフックすると、図９に示すように、回線監視装置２０の通信装置接続部２２の電圧が僅かに上昇してＶｔ２に戻る。
【０１２５】
回線監視装置２０は、送信終了要求を送信した後に、通信装置接続部２２の電圧が僅かに上昇してＶｔ２に戻ったことを検出することで、送信終了要求の送信前に送信した第１通信管理情報がファクシミリ装置５０において正しく受信されたと判定する。正しく受信された第１通信管理情報は、回線監視装置２０から削除する、もしくは送信済みの状態にして、次回の送信対象から外す。
【０１２６】
ファクシミリ装置５０は、上記オフフック動作の後、回線接続部５１に加わる回線電圧がＶｔ１以上に戻ったか否かを調べる（ステップＳ２０９）。回線監視装置２０にてステップＳ１１０の処理が行われると回線接続部５１に加わる回線電圧がＶｔ１以上になる。
【０１２７】
ファクシミリ装置５０は、回線接続部５１に加わる回線電圧がＶｔ１以上になったら（ステップＳ２０９；Ｙｅｓ）、外部電話切替部６４を外部電話機側に切り替えて、外部電話機５を回線接続部５１に接続して（ステップＳ２１０）、本処理を終了する。
【０１２８】
なお、回線監視装置２０は、回線監視装置２０内の回線電源供給部３２と情報送出部３３とを通信装置接続部２２に接続しているローカル接続の状態において、ファクシミリ装置５０が接続されている通信装置接続部２２の電圧が、回線電源供給部３２の出力電圧(Ｖｔ２)と同じ電圧値になった場合は、ユーザによる電源オフなどの何らかの原因によりファクシミリ装置５０がオンフック状態になり、第１通信管理情報の受信不可能になったと判断する。そして、第１通信管理情報の出力を中断すると共に、回線切替部２３をスルー接続の状態に切り替える。すなわち、通信装置接続部２２を回線監視装置２０内の回線電源供給部３２および情報送出部３３から切り離し、回線接続部２１を通じて通信装置接続部２２を電話回線３に接続する。
【０１２９】
また、ファクシミリ装置５０は、第１通信管理情報の受信状態にてオフフック状態を保持している時に、ファクシミリ装置５０の回線接続部５１の電圧が回線監視装置２０内の回線電源供給部３２の出力電圧(Ｖｔ２)より大きな電圧値、すなわち交換機２の電圧である４８Ｖや２４Ｖなどになった場合は、回線監視装置２０が送信終了要求を出力できないまま、何らかの原因により第１通信管理情報の出力が不可能になったと判断する。そして、オンフック動作を行うと共に外部電話切替部６４を外部電話側に切り替えて、外部電話接続部５２に外部電話機５を接続する。また、それまでに受信した第１通信管理情報は、正常でないとみなして、破棄する。
【０１３０】
図１２は、図１１のステップＳ２０６の詳細を示している。ファクシミリ装置５０は、回線監視装置２０から受信したデータをバッファメモリ（ＲＡＭ５５）に順次保存する（ステップＳ２２１）。受信データ無しの期間が所定のタイムアウト時間（ここでは３００ｍｓとする）に達しなければ（ステップＳ２２２；Ｎｏ）、ステップＳ２２１に戻ってデータの受信を継続する。時刻情報や１通信分の通信履歴、送信終了要求は、ＤＴＭＦ信号により複数文字分のキャラクタデータのストリームとして送られる。上記のタイムアウトは時刻情報、１通信分の通信履歴、送信終了要求などの境界で現れ、時刻情報の途中や、１通信分の通信履歴の途中、送信終了要求の途中などでは、通信エラーがない限り、現れないようにされている。
【０１３１】
受信データ無しの期間が所定のタイムアウト時間を越えたら（ステップＳ２２２；Ｙｅｓ）、受信を完了させる（ステップＳ２２３）。ここではＮ（Ｎは任意の正整数）文字分のＤＴＭＦ信号を受信したものとする。
【０１３２】
受信したデータが送信終了要求（Ａ６８＃）ならば（ステップＳ２２４；Ｙｅｓ）、本処理を終了する（リターン）。受信したデータが送信終了要求でなければ（ステップＳ２２４；Ｎｏ）、該受信したデータの１文字目が、時刻情報の識別コード（ここでは２とする）か否かを調べる（ステップＳ２２５）。１文字目が時刻情報の識別コードであれば（ステップＳ２２５；Ｙｅｓ）、今回の受信データが示す時刻情報（回線監視装置２０の現在時刻）を保存し（ステップＳ２２６）、本処理を終了する（リターン）。
【０１３３】
受信したデータの１文字目が、時刻情報の識別コードでない場合は（ステップＳ２２５；Ｎｏ）、今回受信したデータは１通信分の第１通信管理情報であると判定し、該第１通信管理情報に含まれる時刻を補正して、補正後の第１通信管理情報を不揮発メモリ５９に保存する（ステップＳ２２７）。
【０１３４】
時刻の補正は、次のように行う。回線監視装置２０から受信した時刻情報が示す時刻をＪ１、これを受信したときの自装置の現在時刻をＪ２とし、これらの差分をΔＪ＝Ｊ１−Ｊ２  とする。回線監視装置２０から受信した第１通信管理情報に含まれる各時刻を、その時刻からΔＪを減算した時刻に補正する。たとえば、Ｊ１が１０時４３分で、Ｊ２が１０時４０分であれば、回線監視装置２０側の時刻がファクシミリ装置５０側の時刻より３分進んでいる。そこで、回線監視装置２０から受信した第１通信管理情報に含まれている各時刻をそれぞれ３分だけ減算することで、それぞれで管理された現在時刻の差を補正する。
【０１３５】
ファクシミリ装置５０は、時刻を補正した第１通信管理情報と自装置が記憶している第２通信管理情報とを比較し、これらを統合して第３通信管理情報を作成して不揮発メモリ５９に保存する。
【０１３６】
また、不揮発メモリ５９に記憶した第３通信管理情報を、ユーザからの指示に応じて、読み出して、各種の形態で出力する。たとえば、ファクシミリ装置５０は、ユーザからの指示に応じて、第３通信管理情報をプリンタ部５７で記録紙に印刷して出力する、もしくは操作パネル５８の表示部５８ａに表示する、もしくは可搬性記憶媒体接続部６１に挿着されたＵＳＢメモリなどの可搬性記憶媒体８にファイルとして書き出す、といった出力処理を行う。
【０１３７】
このように、通信システム１０では、回線監視装置２０側で電話回線３を監視して作成した第１通信管理情報をファクシミリ装置５０に転送し、ファクシミリ装置５０が自装置で作成している第２通信管理情報と、回線監視装置２０から受信した第１通信管理情報とを比較し、これらを統合した第３通信管理情報を作成する。これにより、１つの電話回線に共通接続されている複数の通信装置による通信の履歴を統合して一元管理することができる。また、オペレータの操作を介することなく自動的に第３通信管理情報を作成することができる。
【０１３８】
また、通信システム１０におけるファクシミリ装置５０の役割は、既存のファクシミリ装置のハードウェアに改造を加えることなくファームウェアを変更するだけで追加できる。そのため、既存のシステムに回線監視装置２０を増設し、既存のファクシミリ装置のファームウェアを変更すれば、本発明の通信システム１０として機能させることができる。これにより、既に市場に設置されている通信装置で通信関連の不具合の原因を究明しやすくなり、不具合に迅速に対応することができる。
【０１３９】
＜変形例＞
図１に示す通信システム１０では、回線監視装置２０からファクシミリ装置５０へ第１通信管理情報を送信してファクシミリ装置５０に第１通信管理情報と第２通信管理情報を集約し、ファクシミリ装置５０で第１通信管理情報と第２通信管理情報を統合して第３通信管理情報を作成した。変形例では、ファクシミリ装置５０から回線監視装置２０に対して第２通信管理情報を送信して回線監視装置２０に第１通信管理情報と第２通信管理情報を集約する。そして、回線監視装置２０において第１通信管理情報と第２通信管理情報とを統合して第３通信管理情報を作成する。
【０１４０】
この場合、ファクシミリ装置５０に、情報送出部３３と同様の機能、すなわち、所定の情報をＤＴＭＦ信号として送出する機能を設ける。また、回線監視装置２０には、ローカル接続の状態でファクシミリ装置５０から送られてくるＤＴＭＦ信号を検出するためのトーン検知部を設ける。なお、通常、ファクシミリ装置は、発呼のためにＤＴＭＦ信号の送信機能を備えているので、変形例においても既存のファクシミリ装置のハードウェアを改造する必要はない。
【０１４１】
変形例では、たとえば、以下のようにして、ファクシミリ装置５０から回線監視装置２０への第２通信管理情報の転送が行われる。
【０１４２】
回線監視装置２０は、電話回線３が使用されていないタイミングを認識し、電話回線３が使用されていないときにローカル接続に切り換え、ファクシミリ装置５０に対して第２通信管理情報の受信開始要求を送信する。
【０１４３】
これを受信したファクシミリ装置５０はオフフック動作を行った後、自装置の時刻情報と、何通信分の第２通信管理情報を送出する予定かを示す情報（通信数情報）を回線監視装置２０に対して送信する。
【０１４４】
回線監視装置２０はファクシミリ装置５０から受信した時刻情報を自装置の内部に記憶する。そして、ファクシミリ装置５０に対して、１通信分の通信履歴の受信要求を送信する。これを受けたファクシミリ装置５０は１通信分の通信履歴を回線監視装置２０に対して送信する。回線監視装置２０はファクシミリ装置５０から受信した１通信分の通信履歴の時刻を補正して記憶する。この処理を通信数情報が示す回数だけ繰り返す。
【０１４５】
すべての通信履歴の受信が完了したら、回線監視装置２０は受信終了要求をファクシミリ装置５０に対して送信し、その後、回線切替部２３をスルー接続に切り換える。また、ファクシミリ装置５０から受信した第２通信管理情報と自装置が作成した第１通信管理情報とを統合して第３通信管理情報を作成し不揮発記憶部に保存する。
【０１４６】
ファクシミリ装置５０は受信終了要求を受信したら、それまでに送信した通信履歴が正常に回線監視装置２０に受信されたと判定する。また、外部電話接続部５２に外部電話機５を接続して通常の受信待機状態に移行する。
【０１４７】
回線監視装置２０は、すべての第２通信管理情報をファクシミリ装置５０から受信する前に呼出信号を受けたときは、次の１通信分の通信履歴の受信要求を送信せずに、ファクシミリ装置５０に対して受信終了要求を送信し、回線切替部２３をスルー接続に切り換える。ファクシミリ装置５０は受信終了要求を受信したら、それまでに送信した第２通信管理情報は正常に回線監視装置２０に受信されたと判定すると共に、外部電話接続部５２に外部電話機５を接続して通常の受信待機状態に移行する。
【０１４８】
このように、１通信分ずつ受信要求を送信することで、呼出信号に即座に対応することができる。
【０１４９】
回線監視装置２０は、たとえば、可搬性記憶媒体接続部を備え、第３通信管理情報を可搬性記憶媒体８に書き出す機能を備える。このほか、第３通信管理情報の出力方法は任意でよく、その出力に必要な出力部（たとえば、印刷出力するならばプリンタ部）を回線監視装置２０に設ければよい。
【０１５０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１５１】
実施の形態では、回線監視装置２０とファクシミリ装置５０との間を接続している電話回線用の通信ケーブルを通じて通信管理情報を装置間で伝送するようにしたが、別途の信号線で接続してもよい。あるいはＬＡＮなどのネットワーク経由で通信管理情報を授受してもよい。
【０１５２】
実施の形態では、通信管理情報の送信にＤＴＭＦ信号を使用したが、情報の伝送方法はこれに限定されるものではない。
【０１５３】
実施の形態では回線監視装置２０にカスケード接続される通信端末をファクシミリ装置５０としたが、ファクシミリ装置５０に限定されない。また、回線監視装置２０は、回線監視装置２０としての機能を備えた通信装置（たとえば、ファクシミリ装置）であってもよい。
【符号の説明】
【０１５４】
２…交換機
３…電話回線
５…外部電話機
６…第２の通信装置
８…可搬性記憶媒体
１０…通信システム
２０…回線監視装置
２１…回線接続部
２２…通信装置接続部
２３…回線切替部
２４…回線電流検知部
２５…第１の回線電圧検知部
２６…電話番号検知部
２７…トーン検知部
２８…呼出信号検知部
２９…直流ループ形成部
３１…回線監視制御部
３２…回線電源供給部
３３…情報送出部
３４…第２の回線電圧検知部
３５…回線切替制御部
３６…時計部
３７…不揮発記憶部
３８…電源部
５０…ファクシミリ装置（通信装置）
５１…回線接続部
５２…外部電話接続部
５３…ＣＰＵ
５４…ＲＯＭ
５５…ＲＡＭ
５６…画像読取部
５７…プリンタ部
５８…操作パネル
５８ａ…表示部
５８ｂ…操作部
５９…不揮発メモリ
６０…ネットワーク通信部
６１…可搬性記憶媒体接続部
６２…ファクシミリ通信部
６３…ＮＣＵ
６４…外部電話切替部
６５…トーン検知部
６６…回線電流検知部
【図７】
2015012525.tif 000003
【図１０】
2015012525.tif 000004
【図１１】
2015012525.tif 000005
【図１２】
2015012525.tif 000006
【図１】
2015012525.tif 000007
【図２】
2015012525.tif 000008
【図３】
2015012525.tif 000009
【図４】
2015012525.tif 000010
【図５】
2015012525.tif 000011
【図６】
2015012525.tif 000012
【図８】
2015012525.tif 000013
【図９】
2015012525.tif 000014
【図１３】
2015012525.tif 000015